(57)【要約】　　　（修正有）【課題】自転車の違法駐輪を能率的且つ効果的に取り締まる警察用違法駐輪管理システムの提供。【解決手段】駐輪違反の自転車のシールから所有者の自転車登録データを採取し、この採取したデータに基づいて駐輪違反者に警告等を行う。自転車登録データベース管理サーバー１２には自転車登録データが記録されている。タグ付きシール２６には自転車の所有者を特定する電子的に読みとり可能なコード化タグ情報が記録され、該シール２６は自転車に貼り付けられる。携帯移動通信端末１６はコード化タグ情報を読みとるためのタグリーダー２０とＧＰＳ端末１８を具備している。駐輪違反の自転車に貼り付けられたシール２６のタグ情報を携帯移動通信端末１６のタグリーダー２０で読み、登録データベース管理サーバー１２に転送し、自転車登録データベースに違反記録を書き込み、警告文が携帯移動通信端末機１６及び所轄のデータベース端末機１４に返送される。【選択図】図１
2004054554.tif 000002
【特許請求の範囲】
【請求項１】
駐輪違反の自転車の所有者の自転車登録データを採取し、この採取したデータに基づいて駐輪違反者に警告等を行うための自転車駐輪違反管理システムであって、自転車登録データを記録する自転車登録データベース管理サーバーと、自転車の所有者を特定する電子的に読みとり可能なコード化情報が記録された自転車に貼り付けられるシールと、前記コード化情報を読み取るための読み取り器を備えた携帯移動通信端末と、所轄の警察署に配置されたデータベース端末機とから成り、駐輪違反の自転車に貼り付けられた前記シールを前記携帯移動通信端末の読み取り器で読み取ると該読み取り器で読み取った自転車登録データが読み取った現場からネットワークを通じて前記自転車登録データベース管理サーバーに転送され、該自転車登録データベース管理サーバーに転送されたデータに基づいて該自転車登録データベース管理サーバーの対応する自転車登録データベースに違反記録が書き込まれるようにしたことを特徴とする自転車駐輪違反管理システム。
【請求項２】
前記携帯移動通信端末がＧＰＳ端末を搭載し、前記シールのコード化情報とともに位置情報も前記自転車登録データベース管理サーバーに転送されるようにしたことを特徴とする「請求項１」に記載の自転車駐輪違反管理システム。
【請求項３】
前記シールに記録されたコード化情報がＩＣチップに所要の自転車登録データが記録された電子タグから成り、該電子タグをタグリーダーから成る読み取り器により読み取るようにしたことを特徴とする「請求項１」又は「請求項２」に記載の自転車駐輪違反管理システム。
【請求項４】
前記自転車登録データベース管理サーバーを、データーベースに記録された駐輪違反データに基づいて警告文を作成する手段として機能させるようにしたことを特徴とする「請求項１」に記載の自転車駐輪違反管理システム。
【発明の詳細な説明】
【０００１】
【発明の属する技術分野】
本発明は、交通警察の分野で用いられる自転車駐輪違反管理システムに関する。
【０００２】
【従来の技術】
現行の、警察機構で採用されている自転車用防犯登録システムは、図４に示すように、消費者が自転車を購入すると、登録番号、購入者の住所、氏名、電話番号、自転車のメーカー、車体番号、色、販売店、登録年月日などの情報が記入された登録カード２が販売店側で作成され、所轄警察署４への届け出が行われる。所轄警察署４では、登録カード２のデータ２ａを端末機を用いて、警視庁・都道府県警察署６に設置されているサーバー８のデーターベースに入力する。一方、自転車には、所轄警察署４から発行された登録シール１０が貼付される。この登録シールの登録番号からサーバー８のデーターベースの登録番号を照会すれば、自転車の所有者のデータを検索することができるシステムとなっている。
【０００３】
【発明が解決しようとする課題】
自転車が違法に駐車してあると、所轄警察署の駐輪違反取締担当官は、自転車に貼り付けられている登録シールの登録番号と時間、場所、担当者名等を台帳に記入し、所定時間違法駐輪が継続したのを確認の上、自転車に警告シールを貼り付けている。取締担当官は、所轄警察署に帰ってから端末機を用いてサーバーのデーターベースにアクセスし、登録番号から対応する自転車登録データを検索し、このデータ欄に所要の違法駐輪データを記入している。
上記違法駐輪取締行為において、現場で登録シールの番号や時間、場所等のデータを台帳に記入する作業を行わなければならず、また、現場で違法駐輪車の所有者などの情報をリアルタイムに確認できないために、取り締まり作業は非能率的かつ非効果的であった。
本発明の主たる目的は上記問題点を解決することである。
また本発明の他の目的は、サーバーのデーターベースへのデータ入力を効率良く行うことができるようにすることである。
また本発明の他の目的は、違法な駐輪を行った者に対する警告を効果的に行うことができるようにすることである。
また本発明の他の目的は、盗難事故自転車の発見を容易かつ効果的に行うことができるようにすることである。
【０００４】
【課題を解決するための手段】
上記目的を達成するため、本発明は、駐輪違反の自転車の所有者の自転車登録データを採取し、この採取したデータに基づいて駐輪違反者に警告等を行ない駐輪違反を防止するための自転車駐輪違反管理システムであって、自転車登録データを記録する自転車登録データベース管理サーバーと、自転車の所有者を特定する電子的に読みとり可能なコード化情報が記録された自転車に貼り付けられるシールと、前記コード化情報を読み取るための読み取り器を備えた携帯移動通信端末と、所轄の警察署に配置されたデータベース端末機とから成り、駐輪違反の自転車に貼り付けられた前記シールを前記携帯移動通信端末の読み取り器で読み取ると該読み取り器で読み取った自転車登録データが読み取った現場からネットワークを通じて前記自転車登録データベース管理サーバーに転送され、該自転車登録データベース管理サーバーに転送されたデータに基づいて該自転車登録データベース管理サーバーの対応する自転車登録データベースに違反記録が書き込まれるようにしたものである。
また本発明は、前記携帯移動通信端末がＧＰＳ端末を搭載し、前記シールのコード化情報とともに位置情報も前記自転車登録データベース管理サーバーに転送されるようにしたものである。
また本発明は、前記シールに記録されたコード化情報がＩＣチップに所要の自転車登録データが記録された電子タグから成り、該電子タグをタグリーダーから成る読み取り器により読み取るようにしたものである。
また本発明は、前記自転車登録データベース管理サーバーを、データーベースに記録された駐輪違反データに基づいて警告文を作成する手段として機能させるようにしたものである。
【０００５】
【発明の実施の形態】
以下に本発明の実施の形態を添付した図面を参照して詳細に説明する。
図１において、符号１２は、自転車登録データベース管理サーバーであり、該自転車登録データベース管理サーバー１２のデータベースには、自転車所有者の住所、氏名、電話番号、自転車のメーカーに関する情報、登録番号そのたの自転車登録データが記入されている。
【０００６】
各所轄警察署に配置されたデータベース端末機１４は、インターネット１５を通じて前記自転車登録データベース管理サーバー１２に接続している。符号１６は、所轄の警察署の駐輪違反担当官の所持するＧＰＳ（Ｇｌｏｂａｌ　Ｐｏｓｉｔｉｏｎｉｎｇ　Ｓｙｓｔｅｍ）端末１８を搭載した携帯移動通信端末であり、タグリーダー２０を備えている。前記携帯移動通信端末１６は、基地局２２，移動パケット網２４を通じてインターネット１５に接続している。
【０００７】
符号２６は、ＩＣチップが内蔵されたタグ付きシールであり、ＩＣチップに登録番号等の自転車登録データが電子タグ情報２８として記録されている。前記タグ付きシール２６は、所轄警察署から自転車販売店に配布され、消費者が自転車３０を購入すると、その自転車に貼付される。自転車を販売した販売店は、自転車購入者の住所、氏名、電話番号及び自転車メーカーの情報、登録番号等の自転車登録データを所轄警察署に届け出るようになっている。
【０００８】
所轄警察署では、データベース端末機１４を操作して、自転車登録データを自転車登録データベース管理サーバー１２の自転車登録データベースに入力するようになっている。前記携帯移動通信端末１６のメモリには、データ転送プログラムが格納され、該データ転送プログラムによってタグリーダー２０の読み取り情報及び時間情報及びＧＰＳ端末１８の位置情報を、携帯移動通信端末１６のキー操作によってインターネット１５を通じて、自転車登録データベース管理サーバー１２にデータ転送できるように構成されている。
【０００９】
次に図２を参照して本システムの原理について説明する。
消費者が自転車を購入すると、ブロック３２で示すように、自転車登録データの自転車登録データベース管理サーバー１２への登録と、自転車販売店へ所轄警察署から配布されたタグ付きシール２６の自転車３０への貼り付けが行われる。所轄警察署の駐輪違反取締担当官が駐輪違反自転車を見つけると、ＧＰＳ端末搭載携帯移動通信端末１６を用いて、駐輪違反自転車３０に貼り付けられているタグ付きシール２６のタグ情報をタグリーダーで読み取り、この携帯移動通信端末１６を通じて、直ちに、タグ情報２８と、時間情報３４と、位置情報３６を携帯移動通信端末情報３８とともに、自転車登録データベース管理サーバー１２に転送する。
【００１０】
このデータ入力処理４０が行われると、自転車登録データベース管理サーバー１２によりデータの記録・保存・照合判定が行われ、自転車登録データベース管理サーバー１２で警告、リポート、表、分析グラフなどの作成処理４２が行われ、携帯移動通信端末１６及び所轄警察署のデータベース端末機１４へ返信される。
【００１１】
上記の警告、リポート、表、分析グラフなどの作成処理は、自転車登録データベース管理サーバー１２に予め構築されているプログラムシステムに基づいて実行される。データベース端末機１４に返送された警告、リポート、表、分析グラフなどの警告文書は、所轄の警察署から自転車の所有者に郵送等の手段により発送される。
【００１２】
次に図３を参照して、データ入力処理について説明する。
ＧＰＳ端末搭載携帯移動通信端末機１６をオンとすると（ステップ１）、端末機１６の画面に初期画面基本情報が表示される（ステップ２）。次に端末機１６の操作者は、端末機１６の初期画面から自動読み取りと手動入力のいずれかを選択する（ステップ３）。自動読み取りを選択すると、携帯移動通信端末機１６は、自転車３０のタグ情報２８の読み取りを開始する（ステップ４）。
【００１３】
このタグ情報の読み取りが完了すると（ステップ５）、タグ情報を自転車登録データベース管理サーバー１２へ送信する。一方、手動入力が選択された場合は、携帯移動通信端末機１６のキー操作により、タグ情報を手動入力し（ステップ８）、この手動入力が完了すると（ステップ９）、このタグ情報を自転車登録データベース管理サーバー１２へ送信する（ステップ７）。自転車登録データベース管理サーバー１２では、タグ情報の記録・保存・照合・判定が行われ（ステップ１０）、その結果が警告、リポート、表、分析グラフなどの形で携帯移動通信端末機１６及び所轄警察署のデータベース端末機１４へ返信される（ステップ１１）。
【００１４】
尚、本実施形態では、タグ情報としてＩＣチップに格納した登録番号などのコード化された自転車登録データを採用したが、このような電子コード情報に特に限定されるものではなく、例えばバーコードなどの記号を用いたコード情報としても良く、これらのコード情報をバーコードリーダーなどの光学的小型読み取り器により読み取る構成としても良い。
【００１５】
【発明の効果】
本発明は上述の如く構成したので、自転車の違法駐輪を能率的且つ効果的に取り締まり且つ管理することができる。
【図面の簡単な説明】
【図１】本システムの説明図である。
【図２】本システムの説明図である。
【図３】本システムの説明図である。
【図４】従来技術システムの説明図である。
【符号の説明】
２　　登録カード
４　　所轄警察署
６　　警視庁・都道府県警察署
８　　サーバー
１０　登録シール
１２　自転車登録データベース管理サーバー
１４　データベース端末機
１５　インターネット
１６　携帯移動通信端末
１８　ＧＰＳ端末
２０　タグリーダー
２２　基地局
２４　移動パケット網
２６　タグ付きシール
２８　タグ情報
３０　自転車
３２　ブロック
【図１】
2004054554.tif 000003
【図２】
2004054554.tif 000004
【図３】
2004054554.tif 000005
【図４】
2004054554.tif 000006